(57)【要約】【課題】電話帳情報に含まれる電話番号への発呼を電話機から簡単な操作で実行できるようにする。【解決手段】記憶部１１は、複数の電話番号が登録された電話帳情報１１ａを記憶する。制御部１２は、電話回線２０を通じて発呼元の電話機３１からの着信を受け付けて応答し、発呼元の電話機３１から電話帳情報１１ａ内の電話番号の選択入力を受け付け、電話回線２０に接続された交換機２１に、選択された電話番号に発呼してこの電話番号に対応する発呼先の電話機３２と発呼元の電話機３１とを接続するように要求する。【選択図】図１
2014183548.tif 000002
【特許請求の範囲】
【請求項１】
複数の電話番号が登録された電話帳情報を記憶する記憶部と、
電話回線を通じて発呼元からの着信を受け付けて応答し、前記発呼元から前記電話帳情報内の電話番号の選択入力を受け付け、前記電話回線に接続された交換機に、選択された電話番号に発呼して当該電話番号に対応する発呼先と前記発呼元とを接続するように要求する制御部と、
を有することを特徴とする発呼制御装置。
【請求項２】
前記記憶部には、複数の前記電話帳情報と、前記電話帳情報ごとに固有のキー電話番号とが記憶され、
前記制御部は、前記発呼元からの着信に応答したとき、前記キー電話番号を前記発呼元から受信して、受信した前記キー電話番号に対応する前記電話帳情報を選択し、選択した前記電話帳情報内の電話番号の前記選択入力を受け付ける、
ことを特徴とする請求項１記載の発呼制御装置。
【請求項３】
前記各電話帳情報には、前記キー電話番号とともに、当該キー電話番号とは異なる転送先電話番号が対応付けられており、
前記制御部は、
前記発呼元からの着信に応答したとき、前記キー電話番号と、発呼者が当該キー電話番号に対応する所有者本人か否かを示す情報とを前記発呼元から受信し、
発呼者が所有者本人である場合には、受信した前記キー電話番号に対応する前記電話帳情報を選択して当該電話帳情報内の電話番号の前記選択入力を受け付け、
発呼者が所有者本人でない場合には、前記交換機に、受信した前記キー電話番号に対応付けられた前記転送先電話番号に発呼して当該転送先電話番号に対応する発呼先と前記発呼元とを接続するように要求する、
ことを特徴とする請求項２記載の発呼制御装置。
【請求項４】
前記制御部は、
前記電話回線を通じて、指定された前記キー電話番号に対応する前記電話帳情報に対する前記転送先電話番号の登録を受け付け、
いずれかの前記電話帳情報に対して前記転送先電話番号を登録したとき、他の前記電話帳情報に登録された電話番号のうち、当該転送先電話番号を登録した前記電話帳情報に対応する前記キー電話番号と同一の電話番号に対して、当該転送先電話番号を対応付けて登録し、
前記発呼元からの着信に応答して電話番号の前記選択入力を受け付けたとき、選択された電話番号に前記転送先電話番号が対応付けられている場合には、前記交換機に、当該転送先電話番号に発呼して当該転送先電話番号に対応する発呼先と前記発呼元とを接続するように要求する、
ことを特徴とする請求項３記載の発呼制御装置。
【請求項５】
前記制御部は、
前記発呼元からの着信に応答して電話番号の前記選択入力を受け付けたとき、選択された電話番号に第１の転送先電話番号が対応付けられている場合には、前記第１の転送先電話番号が前記キー電話番号として登録されている他の前記電話帳情報を検索して、検索された他の前記電話帳情報において、前記キー電話番号に対して第２の転送先電話番号が対応付けられているかを判定し、
前記第２の転送先電話番号が対応付けられている場合には、前記交換機に、当該第２の転送先電話番号に発呼して当該第２の転送先電話番号に対応する発呼先と前記発呼元とを接続するように要求し、
前記第２の転送先電話番号が対応付けられていない場合には、前記交換機に、前記第１の転送先電話番号に発呼して当該第１の転送先電話番号に対応する発呼先と前記発呼元とを接続するように要求する、
ことを特徴とする請求項４記載の発呼制御装置。
【請求項６】
前記制御部は、
前記発呼元からの着信に応答し、発呼者が所有者本人でない場合、受信した前記キー電話番号に対応付けられた前記転送先電話番号へ発呼するか、または当該転送先電話番号を読み上げるかの選択入力を受け付け、
当該転送先電話番号へ発呼することが選択された場合には、前記交換機に、前記転送先電話番号に発呼して当該転送先電話番号に対応する発呼先と前記発呼元とを接続するように要求し、
当該転送先電話番号を読み上げることが選択された場合には、当該転送先電話番号を読み上げた音声メッセージを前記発呼元に出力する、
ことを特徴とする請求項３記載の発呼制御装置。
【請求項７】
前記キー電話番号に対応付けられた前記転送先電話番号には、当該転送先電話番号への発呼と当該転送先電話番号の読み上げの両方を許可するか、または当該転送先電話番号への発呼のみを許可するかを示す利用制限情報が対応付けられ、
前記制御部は、
前記発呼元からの着信に応答し、発呼者が所有者本人でない場合において、
当該転送先電話番号へ発呼することが選択されたとき、前記利用制限情報に基づき、当該転送先電話番号への発呼が許可されている場合には、前記交換機に、前記転送先電話番号に発呼して当該転送先電話番号に対応する発呼先と前記発呼元とを接続するように要求し、
当該転送先電話番号を読み上げることが選択されたとき、前記利用制限情報に基づき、当該転送先電話番号の読み上げが許可されている場合には、当該転送先電話番号を読み上げた音声メッセージを前記発呼元に出力する、
ことを特徴とする請求項６記載の発呼制御装置。
【請求項８】
前記制御部は、
前記発呼元からの着信に応答し、前記発呼元から前記電話帳情報内の電話番号の選択入力を受け付けたとき、選択された電話番号へ発呼するか、または前記選択された電話番号を読み上げるかの選択入力を受け付け、
前記選択された電話番号へ発呼することが選択された場合には、前記交換機に、当該電話番号に発呼して当該電話番号に対応する発呼先と前記発呼元とを接続するように要求し、
前記選択された電話番号を読み上げることが選択された場合には、当該電話番号を読み上げた音声メッセージを前記発呼元に出力する、
ことを特徴とする請求項１または２記載の発呼制御装置。
【請求項９】
前記制御部は、前記発呼元からの着信に応答したとき、前記電話帳情報内の電話番号に対応付けられた識別名を読み上げた音声信号を前記発呼元に出力し、前記音声信号の出力に応じて電話番号の前記選択入力を受け付けることを特徴とする請求項１，２，８のいずれか１項に記載の発呼制御装置。
【請求項１０】
複数の電話番号が登録された電話帳情報を記憶する記憶部と、
電話回線を通じて発呼元からの着信を受け付けて応答し、前記発呼元から前記電話帳情報内の電話番号の選択入力を受け付け、選択された電話番号への発呼を要求する制御部と、
前記電話回線に接続され、前記選択された電話番号に発呼して当該電話番号に対応する発呼先と前記発呼元とを接続する電話交換部と、
を有することを特徴とする発呼制御システム。
【発明の詳細な説明】
【技術分野】
【０００１】
本発明は、発呼制御装置および発呼制御システムに関する。
【背景技術】
【０００２】
近年、携帯電話機をはじめとする多くの電話機には、複数の電話番号が登録された電話帳情報が記憶されている。また、電話機あるいはコンピュータなどの端末装置に記憶された電話帳情報を、他の装置にバックアップするサービスが一般化している。電話機のユーザは、電話帳情報を他の装置にバックアップしておくことで、例えば、電話機の紛失、故障、機種の変更の発生時に、バックアップされた電話帳情報を次に使用する電話機に転送して使用できるようになる。
【０００３】
携帯電話機に記憶された情報をバックアップする方法の例として、サーバが定期的に携帯電話機へバックアップデータを送信し、携帯電話機が、受信したバックアップデータと自機が保存しているデータとの差分をサーバに通知するようにしたものがある。
【０００４】
また、アドレス帳などの個人情報の管理方法の例として、管理センターサイトが個人情報データバンクを構築し、ユーザ会員が携帯電話機などの端末装置を通じて、個人情報の登録や閲覧を行うことを可能にしたシステムがある。
【先行技術文献】
【特許文献】
【０００５】
【特許文献１】特開２００４―２２８６５９号公報
【特許文献２】特開２００２−２４５３５１号公報
【発明の概要】
【発明が解決しようとする課題】
【０００６】
ところで、電話機に記憶された電話帳情報ではなく、バックアップされた電話帳情報を利用して電話をかけたいというケースがある。例えば、災害の発生などにより、電話帳情報が記憶された通常使用している電話機が使用できない場合や、電話帳情報が記憶された電話機がバッテリ切れのために使用できない場合などがある。
【０００７】
しかしながら、バックアップサーバなどの装置に記憶された電話帳情報をユーザが利用するための操作は、簡単ではなかった。例えば、ユーザは、バックアップサーバから電話機やＰＣ（Personal Computer）などに電話帳情報をダウンロードした後、ダウンロードされた電話帳情報から電話番号を選択して電話をかける、という多くの操作を行う必要があった。
【０００８】
１つの側面では、本発明は、電話帳情報に含まれる電話番号への発呼を電話機から簡単な操作で実行できるようにした発呼制御装置および発呼制御システムを提供することを目的とする。
【課題を解決するための手段】
【０００９】
１つの案では、次のような記憶部および制御部を有する発呼制御装置が提供される。記憶部は、複数の電話番号が登録された電話帳情報を記憶する。制御部は、電話回線を通じて発呼元からの着信を受け付けて応答し、発呼元から電話帳情報内の電話番号の選択入力を受け付け、電話回線に接続された交換機に、選択された電話番号に発呼してこの電話番号に対応する発呼先と発呼元とを接続するように要求する。
【００１０】
また、１つの案では、次のような記憶部、制御部および電話交換部を有する発呼制御システムが提供される。記憶部は、複数の電話番号が登録された電話帳情報を記憶する。制御部は、電話回線を通じて発呼元からの着信を受け付けて応答し、発呼元から電話帳情報内の電話番号の選択入力を受け付け、選択された電話番号への発呼を要求する。電話交換部は、電話回線に接続され、選択された電話番号に発呼してこの電話番号に対応する発呼先と発呼元とを接続する。
【発明の効果】
【００１１】
１態様によれば、電話帳情報に含まれる電話番号への発呼を電話機から簡単な操作で実行できる。
【図面の簡単な説明】
【００１２】
【図１】第１の実施の形態に係る発呼制御装置の構成例および処理例を示す図である。
【図２】第２の実施の形態に係る電話帳管理システムの構成例を示す図である。
【図３】電話帳管理サーバのハードウェア構成例を示す図である。
【図４】電話帳情報に登録された電話番号に対して発呼する処理の概要について示す図である。
【図５】電話帳情報の所有者に対して発呼する処理の概要について示す図である。
【図６】電話帳情報間の同期処理の概要について示す図である。
【図７】同期処理後において電話帳情報に登録された電話番号へ発呼する処理の概要について示す図である。
【図８】電話帳管理サーバが備える機能の構成例を示すブロック図である。
【図９】バックアップデータに登録される情報の構成例を示す図である。
【図１０】電話帳管理サーバへの電話帳バックアップの処理例を示すシーケンス図である。
【図１１】利用サービス処理部によるメイン処理の例を示すフローチャートである。
【図１２】所有者本人へのサービスの提供処理例を示すフローチャートである。
【図１３】所有者による電話帳情報の利用のための処理例を示すフローチャートである。
【図１４】登録済み番号への発呼処理例を示すフローチャートである。
【図１５】登録済み番号の読み上げ処理例を示すフローチャートである。
【図１６】登録情報のメンテナンスのための処理例を示すフローチャートである。
【図１７】転送先番号の設定処理例を示すフローチャートである。
【図１８】所有者情報への転送先番号の追加処理例を示すフローチャートである。
【図１９】他者へのサービスの提供処理例を示すフローチャートである。
【図２０】他者による所有者の呼び出しの処理例を示すフローチャートである。
【図２１】所有者に設定された転送先番号の確認のための処理例を示すフローチャートである。
【図２２】転送先番号リスト作成の処理例を示すフローチャートである。
【図２３】公開レベルと利用権限（１）との関係の例を示す図である。
【図２４】公開レベルと利用権限（２）との関係の例を示す図である。
【発明を実施するための形態】
【００１３】
以下、本発明の実施の形態について図面を参照して説明する。
〔第１の実施の形態〕
図１は、第１の実施の形態に係る発呼制御装置の構成例および処理例を示す図である。発呼制御装置１０は、電話回線２０に接続されており、電話機などの任意の発呼元からの着信を受けることができる。また、発呼制御装置１０は、電話回線２０に接続された交換機２１に対して、指定した電話番号への発信を要求することができる。
【００１４】
なお、発呼制御装置１０は、公衆電話回線網を通じて交換機２１に接続されていてもよいし、あるいは、公衆電話回線網とは別の専用の通信経路を通じて交換機２１に接続されていてもよい。また、発呼制御装置１０と交換機２１とが一体化されていてもよい。
【００１５】
発呼制御装置１０は、記憶部１１および制御部１２を有する。記憶部１１は、ＨＤＤ（Hard Disk Drive）などの不揮発性の記憶装置によって実現される。また、制御部１２の処理は、例えば、発呼制御装置１０が備えるプロセッサが所定のプログラムを実行することで実現される。
【００１６】
記憶部１１には、複数の電話番号が登録された電話帳情報１１ａが記憶されている。電話帳情報１１ａは、例えば、電話機などの端末装置に登録された電話帳の情報をバックアップしたバックアップデータである。
【００１７】
制御部１２は、電話回線２０を通じて発呼元からの着信を受けると、その着信に対して応答して発呼元と接続された状態にし、電話帳情報１１ａに登録された情報を発呼元から利用可能にする。以下、電話帳情報１１ａを発呼元から利用可能にするための処理例を、順を追って説明する。ここでは、発呼元を電話機３１とする。
【００１８】
電話機３１が発呼制御装置１０に対して発呼すると、制御部１２は着信を受け付けて応答する（ステップＳ１）。制御部１２は、電話機３１から、電話帳情報１１ａに登録された電話番号を選択するための選択入力を受け付ける（ステップＳ２）。
【００１９】
ここで、選択入力の受け付け方法としては、発呼元の端末装置に依存せず、発呼することが可能などのような端末装置からでも選択入力を受け付けられることが望ましい。このような例としては、回線接続状態において、発呼元でのプッシュボタンの押下などによる番号入力に応じた信号を制御部１２が受信する方法がある。この方法によれば、例えば、発呼元の端末装置がアナログ電話回線に接続されていても、デジタル電話回線に接続されていても、ＩＰ（Internet Protocol）電話回線に接続されていても、どのような端末装置からでも選択入力を受け付けることができる。
【００２０】
また、電話機３１のユーザが電話帳情報１１ａに登録された通話相手を認識する方法としては、例えば、電話帳情報１１ａ内の各電話番号に対応付けられた識別名（例えば、通話相手の氏名）を順に読み上げた音声メッセージを、制御部１２から電話機３１へ出力するという方法がある。
【００２１】
制御部１２は、電話番号の選択入力を受け付けると、交換機２１に対し、選択された電話番号に発呼して、この電話番号に対応する発呼先と、発呼元の電話機３１とを接続するように、要求する。例えば、選択入力により電話番号Ｎ１が選択され、電話機３２がこの電話番号Ｎ１に対応するものとする。この場合、制御部１２は、交換機２１に対し、電話番号Ｎ１に対応する端末装置へ発呼して、その端末装置と発呼元の電話機３１とを接続するように、要求する（ステップＳ３）。
【００２２】
交換機２１は、制御部１２からの要求に応じて、電話番号Ｎ１に対応する電話機３２に発呼する。そして、電話機３２が応答すると、電話機３１と電話機３２との回線を接続して通話状態にする（ステップＳ４）。なお、このように、発呼元から指定された発呼先とは別の発呼先に、発呼元を接続するという交換機２１の制御は、一般的に“着信転送”などと呼ばれるものである。
【００２３】
以上説明した処理によれば、電話機３１のユーザは、発呼制御装置１０に記憶された電話帳情報１１ａに含まれる電話番号への発呼を簡単な操作で実行することができる。例えば、電話機３１のユーザは、電話帳情報１１ａに含まれる電話番号への発呼操作をする前に、電話帳情報１１ａを電話機３１にダウンロードする必要がなくなる。また、電話機３１のユーザは、発呼制御装置１０への発呼操作を行った後、電話帳情報１１ａに含まれる所望の電話番号への発呼のために再度発呼操作を行う必要がない。
【００２４】
従って、例えば、災害の発生などにより、電話帳情報が記憶された通常使用している電話機が使用できない場合や、電話帳情報が記憶された電話機がバッテリ切れのために使用できない場合などに、ユーザは、それ以外の任意の電話機を使用して、発呼制御装置１０に記憶された電話帳情報１１ａを利用し、そこに登録された電話番号が示す相手と通話することができる。
【００２５】
〔第２の実施の形態〕
図２は、第２の実施の形態に係る電話帳管理システムの構成例を示す図である。
図２に示す電話帳管理サーバ１００は、電話帳情報を記憶する。電話帳管理サーバ１００に記憶される電話帳情報は、電話機などの装置に記憶された電話帳情報のバックアップデータである。また、電話帳管理サーバ１００は、バックアップされた電話帳情報を任意の電話機２００から利用できるようにするサービスを提供する。このような電話帳利用サービスを提供するために、電話帳管理サーバ１００は、電話回線網３１０に接続され、電話回線網３１０に接続された電話機２００からの着信を受けることが可能になっている。
【００２６】
また、電話帳管理サーバ１００は、電話回線網３１０に含まれる交換機３１１と接続されている。なお、電話帳管理サーバ１００と交換機３１１との間は、公衆電話回線網を通じて接続されていてもよいし、あるいは、公衆電話回線網とは別の専用回線を通じて接続されていてもよい。また、電話帳管理サーバ１００の機能と交換機３１１の機能とが、同一筐体の装置によって実現されていてもよい。
【００２７】
ここで、電話回線網３１０の種類は特に限定されるものではなく、また、図示した電話回線網３１０には実際には複数の種類の電話回線網が含まれてもよい。ただし、少なくとも、電話帳管理サーバ１００は、電話機２００との回線接続状態において、その電話機２００でのプッシュボタンの押下などによる番号入力に応じた信号を受信可能になっているものとする。番号入力に応じた信号とは、一般的にトーン信号あるいはＤＴＭＦ（Dual Tone Multi-Frequency）信号と呼ばれるものである。
【００２８】
また、電話帳管理サーバ１００への電話帳情報のバックアップ方法も、特に限定されない。例えば、電話機２００に記憶された電話帳情報がバックアップされる場合には、各電話機２００から電話回線網３１０を通じて電話帳情報が直接的に電話帳管理サーバ１００に送信されてもよい。その際、電話機２００に記憶された電話帳情報のデータのうち更新されたデータのみが、電話帳管理サーバ１００に送信されてもよい。また、他の方法としては、各電話機２００に記憶された電話帳情報が、通話サービスを提供する事業者が運営する事業者サーバ３２０（例えば、携帯電話のキャリアサーバ）に送信され、電話帳管理サーバ１００がＩＰネットワーク３３０を通じて事業者サーバ３２０から電話帳情報を取得してもよい。
【００２９】
なお、図示しないが、ＩＰネットワーク３３０には、例えば、電話帳管理サーバ１００を保守するための保守端末が接続されていてもよい。
図３は、電話帳管理サーバのハードウェア構成例を示す図である。電話帳管理サーバ１００は、例えば、図３に示すようなコンピュータとして実現可能である。
【００３０】
電話帳管理サーバ１００は、プロセッサ１０１によって装置全体が制御されている。プロセッサ１０１には、バス１０６を介してＲＡＭ（Random Access Memory）１０２と複数の周辺機器が接続されている。プロセッサ１０１は、マルチプロセッサであってもよい。プロセッサ１０１は、例えばＣＰＵ（Central Processing Unit）、ＭＰＵ（Micro Processing Unit）、ＤＳＰ（Digital Signal Processor）、ＡＳＩＣ（Application Specific Integrated Circuit）、またはＰＬＤ（Programmable Logic Device）である。またプロセッサ１０１は、ＣＰＵ、ＭＰＵ、ＤＳＰ、ＡＳＩＣ、ＰＬＤのうちの２以上の要素の組み合わせであってもよい。
【００３１】
ＲＡＭ１０２は、電話帳管理サーバ１００の主記憶装置として使用される。ＲＡＭ１０２には、プロセッサ１０１に実行させるＯＳ（Operating System）のプログラムやアプリケーションプログラムの少なくとも一部が一時的に格納される。また、ＲＡＭ１０２には、プロセッサ１０１による処理に必要な各種データが格納される。
【００３２】
バス１０６に接続されている周辺機器としては、ＨＤＤ１０３、通信インタフェース１０４，１０５がある。
ＨＤＤ１０３は、内蔵した磁気ディスクに対して、磁気的にデータの書き込みおよび読み出しを行う。ＨＤＤ１０３は、電話帳管理サーバ１００の補助記憶装置として使用される。ＨＤＤ１０３には、ＯＳのプログラム、アプリケーションプログラム、および各種データが格納される。なお、補助記憶装置としては、ＳＳＤ（Solid State Drive）などの他の種類の不揮発性記憶装置を使用することもできる。
【００３３】
通信インタフェース１０４は、電話回線網３１０内の交換機３１１（図２参照）に接続され、交換機３１１を通じて電話機との間で信号の送受信を行う。
通信インタフェース１０５は、ＩＰネットワーク３３０に接続され、ＩＰネットワーク３３０上の他の装置との間でデータの送受信を行う。
【００３４】
以上のようなハードウェア構成によって、電話帳管理サーバ１００の処理機能を実現することができる。なお、第１の実施の形態に示した発呼制御装置１０も、図３と同様のハードウェア構成により実現することができる。
【００３５】
次に、図４〜図７を用いて、電話帳管理サーバ１００が提供する電話帳利用サービスにおける主な処理について説明する。
図４は、電話帳情報に登録された電話番号に対して発呼する処理の概要について示す図である。
【００３６】
電話帳管理サーバ１００には、１つまたは複数のバックアップデータ１１０が記憶される。バックアップデータ１１０のそれぞれは、所有者情報１１１および電話帳情報１１２を含む。
【００３７】
電話帳情報１１２は、電話機などの装置に記憶されている電話帳情報を複写した情報である。電話帳情報１１２は、１つまたは複数の電話帳エントリ１１３を含み、電話帳エントリ１１３のそれぞれに電話番号が１つずつ登録されている。また、各電話帳エントリ１１３には、登録された電話番号に対応する使用者（すなわち、登録された電話番号に対して電話したときの通話相手）を識別するための登録名が登録されている。登録名としては、例えば、使用者の氏名、ニックネームなどの任意の文字列が設定される。
【００３８】
所有者情報１１１は、対応する電話帳情報１１２の所有者に関する情報を含み、その情報としてキー電話番号および登録名を含む。ここで言う所有者とは、対応する電話帳情報１１２のバックアップ元の装置において元の電話帳情報を使用している使用者である。例えば、バックアップ元の装置が電話機である場合、所有者は、その電話機の使用者である。
【００３９】
キー電話番号は、バックアップデータ１１０の登録段階で所有者情報１１１に対応付けられる任意の電話番号である。キー電話番号としては、所有者に連絡をとるために通常使用される電話番号が登録される。例えば、電話帳情報１１２が携帯電話機に記憶された電話帳情報をバックアップしたものである場合、キー電話番号は、バックアップ元の携帯電話機の電話番号とされる。
【００４０】
また、キー電話番号は、バックアップデータ１１０を検索するためのキーとなる番号であり、電話帳管理サーバ１００は、キー電話番号を用いて、記憶されたバックアップデータ１１０や、そこに含まれる電話帳情報１１２を一意に識別することができる。
【００４１】
登録名は、所有者の識別名であり、例えば、所有者の氏名、ニックネームなどの任意の文字列が設定される。なお、図４〜図７では説明をわかりやすくするために所有者情報１１１に登録名が設定されているが、所有者情報１１１への登録名の設定は必須ではない。
【００４２】
ところで、電話帳情報が記憶された電話機を使用しているユーザが、その電話機以外の電話機を用いて、バックアップされた電話帳情報に登録された電話番号に電話をかけたいというケースがある。例えば、災害の発生などにより、電話帳情報が記憶された通常使用している電話機が使用できない場合や、電話帳情報が記憶された電話機がバッテリ切れのために使用できない場合などがある。このような場合に、ユーザは、電話帳管理サーバ１００に電話をかけることにより、バックアップされた電話帳情報に登録された電話番号に対応する相手と通話することができる。
【００４３】
以下、登録名「Ａ」の所有者（以下、「ユーザＡ」とする）が、バックアップされた電話帳情報を利用する場合について例示する。ユーザＡに対応するキー電話番号は「０９０−１２３４−５６７８」であるとする。
【００４４】
ユーザＡは、電話機２００ａを用いて電話帳管理サーバ１００に電話をかける。本実施の形態では、このときユーザＡが発呼先として入力する電話番号に、利用したい電話帳情報に対応付けられたキー電話番号が含められるものとする。例えば、ユーザＡは、あらかじめ決められた番号「１ｘｘ」の後に、キー電話番号「０９０−１２３４−５６７８」を続けて入力する（ステップＳ１１）。
【００４５】
このように入力された番号への発呼要求を受けた交換機３１１は、発呼先を電話帳管理サーバ１００と判定して、電話帳管理サーバ１００への回線の接続を試みる。これにより、電話帳管理サーバ１００は着信を受け、これに応答する。
【００４６】
このとき、交換機３１１は、電話機２００ａで入力されたキー電話番号「０９０−１２３４−５６７８」を、電話帳管理サーバ１００に通知する（ステップＳ１２）。通知の方法は種々考えられる。例えば、電話帳管理サーバ１００が応答すると、交換機３１１がトーン信号を用いて所有者電話番号「０９０−１２３４−５６７８」を通知する。あるいは、交換機３１１が通知する発呼元電話番号の中に、キー電話番号「０９０−１２３４−５６７８」を含める（例えば、発呼元電話番号の後にキー電話番号を付加する）方法が用いられてもよい。
【００４７】
電話帳管理サーバ１００は、記憶されたバックアップデータ１１０の中から、通知されたキー電話番号が所有者情報１１１に登録されているバックアップデータ１１０を特定する。電話帳管理サーバ１００は、特定したバックアップデータ１１０の電話帳情報１１２に登録された登録名を順に読み上げた音声メッセージを、発呼元の電話機２００ａに送信する（ステップＳ１３）。ユーザＡは、読み上げられた音声メッセージに従って、番号入力操作によって所望の登録名の選択入力を行う（ステップＳ１４）。なお、ステップＳ１３，Ｓ１４での登録名読み上げおよび選択入力の処理の詳細については、後に説明する。
【００４８】
電話帳管理サーバ１００は、選択された登録名が登録されている電話帳エントリ１１３を特定する。ここでは、登録名「Ｂ」のユーザ（以下、「ユーザＢ」とする）についての電話帳エントリ１１３が特定されたものとする。また、特定された電話帳エントリ１１３には、電話番号「０９０−１１２２−３３４４」が登録されているものとする。
【００４９】
電話帳管理サーバ１００は、交換機３１１に対し、電話番号「０９０−１１２２−３３４４」へ発呼して、発呼元の電話機２００ａと、電話番号「０９０−１１２２−３３４４」に対応する端末装置との回線を接続するように要求する（ステップＳ１５）。ここでは、ユーザＢが使用している、電話番号「０９０−１１２２−３３４４」に対応する端末装置を、電話機２００ｂとする。
【００５０】
要求を受けた交換機３１１は、電話番号「０９０−１１２２−３３４４」に対応する電話機２００ｂへ発呼し、電話機２００ａと電話機２００ｂとの回線の接続を試みる（ステップＳ１６）。この接続制御は、一般的に“着信転送”などと呼ばれるものである。電話機２００ｂが応答すると、電話機２００ａのユーザＡは、電話機２００ｂのユーザＢと通話することができる。
【００５１】
以上の処理により、ユーザＡは、電話帳情報が登録されていない電話機を用いた簡単な操作により、バックアップされた自身の電話帳情報１１２に登録された電話番号に対して電話をかけることができる。
【００５２】
例えば、ユーザＡは、バックアップされた電話帳情報１１２に登録された電話番号に電話をかける前に、電話帳情報１１２を電話機２００ａにダウンロードする必要がなくなる。また、ユーザＡは、電話帳管理サーバ１００への発呼操作を行った後、音声メッセージに従って番号入力を行うだけでユーザＢと通話できるので、発呼のための操作を再度行う必要がない。
【００５３】
これらのことは、電話帳情報１１２を利用するための電話機が特に限定されないことも意味する。例えば、一般的に、携帯電話機に登録された電話帳情報をバックアップした場合には、バックアップされた電話帳情報をダウンロードできる携帯電話機は、その電話帳情報の所有者の携帯電話機に限られる。これに対して、図４の処理では、電話帳情報１１２を電話機２００ａにダウンロードする必要がなく、さらに番号入力というどの電話機も備えている機能が使用されることから、電話帳情報１１２を利用するための電話機が限定されなくなる。
【００５４】
また、ユーザＡは、登録名が読み上げられた音声メッセージに従って所望の電話番号を選択することができるので、その電話番号自体を自分自身が記憶したり、メモをとっておく必要がなくなる。
【００５５】
なお、上記の処理例では、ユーザＡが発呼の時点でキー電話番号を入力するものとしたが、別の方法として、電話帳管理サーバ１００が応答した後に、ユーザＡがキー電話番号を入力する方法が用いられてもよい。この場合、例えば、ユーザＡは単に、電話帳管理サーバ１００を示す所定の電話番号を入力することで電話をかける。電話帳管理サーバ１００が応答すると、電話機２００ａに対してキー電話番号の入力を求める音声メッセージが出力される。ユーザＡは、この音声メッセージに従ってキー電話番号を入力する。これにより、キー電話番号が電話帳管理サーバ１００に通知される。
【００５６】
図５は、電話帳情報の所有者に対して発呼する処理の概要について示す図である。
バックアップデータ１１０の所有者は、所有者情報１１１に、任意の転送先番号を登録することができる。転送先番号とは、所有者の連絡先を、キー電話番号から一時的に変更した電話番号である。例えば、災害発生時において所有者が元の居住地から別の居住地に避難した場合に、避難先の電話番号を転送先番号として登録することができる。
【００５７】
一方、電話帳管理サーバ１００のバックアップデータ１１０には、所有者の家族や友人など、所有者以外の他者がアクセスすることもできる。その例として、他者は、任意の電話機を用いて所有者のバックアップデータ１１０にアクセスし、そのバックアップデータ１１０に転送先番号が登録されていた場合には、転送先番号に電話をかけることができる。上記のように転送先番号として避難先の電話番号が登録されていた場合、他者は、避難先にいる所有者と連絡をとることができるようになる。
【００５８】
図５の例では、まず、ユーザＡは、電話機２００ｃを用いて電話帳管理サーバ１００に電話をかけることで、自身のバックアップデータ１１０にアクセスし、転送先番号「０３−２３４５−６７８９」を登録する（ステップＳ２１）。転送先番号の登録処理は、電話帳管理サーバ１００からの音声メッセージに従って、電話機２００ｃへの番号入力操作を行うことで実現されるものとする。これにより、転送先番号の登録の際に使用する電話機２００ｃが限定されなくなる。
【００５９】
この後、別のユーザＣがユーザＡと連絡をとろうとする。このときユーザＣは、電話機２００ｄを用いて電話帳管理サーバ１００に電話をかける。このとき、図４のステップＳ１１と同様に、ユーザＣが発呼先として入力する電話番号に、ユーザＡのキー電話番号が含められる（ステップＳ２２）。
【００６０】
電話機２００ｄからの発呼要求を受けた交換機３１１は、発呼先を電話帳管理サーバ１００と判定して、電話帳管理サーバ１００への回線の接続を試みる。電話帳管理サーバ１００は着信を受け、これに応答する。このとき、図４のステップＳ１２と同様に、交換機３１１は、電話機２００ｄで入力されたキー電話番号「０９０−１２３４−５６７８」を、電話帳管理サーバ１００に通知する（ステップＳ２３）。電話帳管理サーバ１００は、記憶されたバックアップデータ１１０の中から、通知されたキー電話番号が所有者情報１１１に登録されているバックアップデータ１１０を特定する。
【００６１】
次に、ユーザＣは、電話機２００ｄへの入力操作により、電話帳管理サーバ１００に対し、所有者への発呼を要求する（ステップＳ２４）。このときの入力操作も、電話機２００ｄへの番号入力によって実現される。
【００６２】
電話帳管理サーバ１００は、特定したバックアップデータ１１０の所有者情報１１１に転送先番号が登録されている場合には、登録されている転送先番号「０３−２３４５−６７８９」を抽出する。電話帳管理サーバ１００は、交換機３１１に対し、キー電話番号の代わりに転送先番号「０３−２３４５−６７８９」へ発呼して、発呼元の電話機３００ｄと、転送先番号「０３−２３４５−６７８９」に対応する端末装置（ここでは電話機２００ｅとする）との回線を接続するように要求する（ステップＳ２５）。
【００６３】
要求を受けた交換機３１１は、転送先番号「０３−２３４５−６７８９」に対応する電話機２００ｅへ発呼し、電話機２００ｄと電話機２００ｅとの回線の接続を試みる（ステップＳ２６）。電話機２００ｅが応答すると、電話機２００ｄのユーザＣは、電話機２００ｅのユーザＡと通話することができる。
【００６４】
以上の処理によれば、ユーザＣは、電話帳管理サーバ１００への発呼操作を行った後、音声メッセージに従って番号入力を行うだけで、避難先のユーザＡと通話できるので、発呼のための操作を再度行う必要がない。また、番号入力というどの電話機も備えている機能が使用されることから、ユーザＡとの通話のために使用する電話機２００ｄが特に限定されなくなる。
【００６５】
図６は、電話帳情報間の同期処理の概要について示す図である。
電話帳管理サーバ１００は、図５で説明した手順でバックアップデータ１１０に転送先番号が登録されると、そのバックアップデータ１１０に対応付けられたキー電話番号が登録された電話帳情報１１２を含む他のバックアップデータ１１０を抽出する。そして、電話帳管理サーバ１００は、抽出した他のバックアップデータ１１０の電話帳情報１１２のうち、転送先番号が登録されたキー電話番号を含む電話帳情報１１２に対しても、転送先番号を登録する。これにより、複数のバックアップデータ１１０の間で、電話番号とこれに対応付けられた転送先番号との組み合わせの情報が同期される。
【００６６】
例えば、図５に示した手順により、キー電話番号「０９０−１２３４−５６７８」に対応するバックアップデータ１１０ａの所有者情報１１１に、転送先番号「０３−２３４５−６７８９」が登録されたものとする（ステップＳ３１）。このとき、電話帳管理サーバ１００は、キー電話番号「０９０−１２３４−５６７８」が登録された電話帳情報１１２を含むバックアップデータ１１０ｂ，１１０ｃを抽出する。電話帳管理サーバ１００は、バックアップデータ１１０ｂ，１１０ｃのそれぞれにおいて電話番号「０９０−１２３４−５６７８」が登録された電話帳エントリ１１３に対し、転送先番号「０３−２３４５−６７８９」を登録する（ステップＳ３２）。
【００６７】
図７は、同期処理後において電話帳情報に登録された電話番号へ発呼する処理の概要について示す図である。この図７では、図６に示した手順で、ユーザＢのバックアップデータ１１０ｂの電話帳エントリ１１３にユーザＡの転送先番号「０３−２３４５−６７８９」が登録された後、ユーザＢがバックアップデータ１１０ｂを用いてユーザＡに電話をかける場合を例示したものである。
【００６８】
ユーザＢは、電話機２００ｂを用いて電話帳管理サーバ１００に電話をかける。このとき、ユーザＢが発呼先として入力する電話番号に、ユーザＢのキー電話番号「０９０−１１２２−３３４４」が含められる（ステップＳ４１）。電話機２００ｂからの発呼要求を受けた交換機３１１は、発呼先を電話帳管理サーバ１００と判定して、電話帳管理サーバ１００への回線の接続を試みる。電話帳管理サーバ１００は着信を受け、これに応答する。このとき、交換機３１１は、電話機２００ｂで入力されたキー電話番号「０９０−１１２２−３３４４」を電話帳管理サーバ１００に通知する（ステップＳ４２）。
【００６９】
電話帳管理サーバ１００は、記憶されたバックアップデータ１１０の中から、通知されたキー電話番号が所有者情報１１１に登録されているバックアップデータ１１０ｂを特定する。電話帳管理サーバ１００は、特定したバックアップデータ１１０ｂの電話帳情報１１２に登録された登録名を順に読み上げた音声メッセージを、発呼元の電話機２００ｂに送信する（ステップＳ４３）。ユーザＢは、読み上げられた音声メッセージに従って、番号入力操作によってユーザＡを選択する入力を行う（ステップＳ４４）。
【００７０】
電話帳管理サーバ１００は、登録名としてユーザＡが登録されている電話帳エントリ１１３を特定し、特定した電話帳エントリ１１３に転送先番号が登録されているか判定する。転送先番号が登録されていない場合、電話帳管理サーバ１００は、図４と同様に、交換機３１１に対し、ユーザＡの電話番号「０９０−１２３４−５６７８」へ発呼して、発呼元の電話機２００ｂと、電話番号「０９０−１２３４−５６７８」に対応する端末装置との回線を接続するように要求する（図示せず）。
【００７１】
一方、特定した電話帳エントリ１１３に転送先番号「０３−２３４５−６７８９」が登録されていると判定すると、電話帳管理サーバ１００は、交換機３１１に対し、転送先番号「０３−２３４５−６７８９」へ発呼して、発呼元の電話機２００ｂと、転送先番号「０３−２３４５−６７８９」に対応する端末装置（ここでは電話機２００ｅとする）との回線を接続するように要求する（ステップＳ４５）。
【００７２】
要求を受けた交換機３１１は、転送先番号「０３−２３４５−６７８９」に対応する電話機２００ｅへ発呼し、電話機２００ｂと電話機２００ｅとの回線の接続を試みる（ステップＳ４６）。電話機２００ｅが応答すると、電話機２００ｂのユーザＢは、電話機２００ｅのユーザＡと通話することができる。
【００７３】
以上の図６，図７に示した処理によれば、ユーザＡのバックアップデータ１１０ａに転送先番号が登録された場合に、電話帳情報１１２にユーザＡの電話番号が登録された他のバックアップデータ１１０ｂ，１１０ｃにも、ユーザＡの電話番号に対応付けて転送先番号が自動的に登録される。従って、例えばユーザＢが自分のバックアップデータ１１０ｂの電話帳情報１１２を利用してユーザＡに電話をかけようとしたとき、ユーザＡのキー電話番号の代わりに転送先番号に対して回線が接続される。ユーザＢは、ユーザＡが避難先にいることを認識していなくても、避難先のユーザＡと通話できるようになる。
【００７４】
なお、転送先番号を同期させるバックアップデータ１１０は、特定の条件を満たすもののみに限定されてもよい。例えば、２つのバックアップデータ１１０の間で、一方のキー電話番号が他方の電話帳情報１１２に登録され、他方のキー電話番号も一方の電話帳情報１１２に登録されている場合に、これら２つのバックアップデータ１１０の間で転送先番号が同期されるようにしてもよい。
【００７５】
次に、電話帳管理サーバ１００の処理の詳細について説明する。まず、図８は、電話帳管理サーバが備える機能の構成例を示すブロック図である。
電話帳管理サーバ１００は、バックアップ処理部１２０および利用サービス処理部１３０を有する。バックアップ処理部１２０および利用サービス処理部１３０の各処理は、図３のプロセッサ１０１が所定のプログラムを実行することで実現される。また、電話帳管理サーバ１００の記憶装置（例えば、図３のＨＤＤ１０３）には、前述した複数のバックアップデータ１１０と、複数の音声データ１４０とが記憶されている。なお、複数のバックアップデータ１１０および複数の音声データ１４０の少なくとも一部は、電話帳管理サーバ１００の外部の記憶装置に記憶されていてもよい。
【００７６】
バックアップ処理部１２０は、電話機などの装置に記憶された電話帳情報を取り込み、バックアップデータ１１０として記憶する処理を行う。バックアップ処理部１２０は、例えば、電話機からＩＰネットワーク３３０を通じて電話帳情報を受信する。
【００７７】
利用サービス処理部１３０は、記憶されたバックアップデータ１１０をユーザが電話機から利用できるようにするための処理を行う。利用サービス処理部１３０が提供するサービスとしては、例えば、ユーザが自身のバックアップデータ１１０内の電話帳情報を利用して電話をかける、ユーザが自信のバックアップデータ１１０の登録や各種設定を行う「メンテナンス」、ユーザが他のユーザのバックアップデータ１１０を利用して電話をかける、などがある。
【００７８】
音声データ１４０は、利用サービス処理部１３０が電話回線網３１０を通じて電話機に出力する案内メッセージの基になるデータである。利用サービス処理部１３０は、記憶された音声データ１４０のうちの１つまたは複数を組み合わせて案内メッセージの音声データを作成し、電話機に送出する。
【００７９】
図９は、バックアップデータに登録される情報の構成例を示す図である。前述のように、バックアップデータ１１０は所有者情報１１１と電話帳情報１１２とを含み、電話帳情報１１２は１つまたは複数の電話帳エントリ１１３を含む。
【００８０】
所有者情報１１１には、前述のキー電話番号、所有者用暗証番号、自番号公開用暗証番号、電話帳公開用暗証番号、前述の転送先番号、公開レベル（１−１）および公開レベル（２−１）が登録される。所有者情報１１１内の各情報は、キー電話番号に対応する所有者による入力操作に応じて設定される。
【００８１】
所有者用暗証番号は、キー電話番号に対応する所有者がバックアップデータ１１０を利用する際の認証処理に使用される暗証番号である。自番号公開用暗証番号は、他者が所有者情報１１１を利用する際の認証処理に使用される暗証番号である。電話帳公開用暗証番号は、他者が電話帳情報１１２を利用する際の認証処理に使用される暗証番号である。
【００８２】
転送先番号には、登録日時、利用回数および公開レベル（１−２）が対応付けて登録される。また、所有者情報１１１には、複数の転送先番号を登録することができる。複数の転送先番号が登録される場合、転送先番号ごとに登録日時、利用回数および公開レベル（１−２）が登録される。ただし、公開レベル（１−２）については複数の転送先番号に対して共通に設定されていてもよい。
【００８３】
登録日時は、対応する転送先番号が登録された日時を示す。利用回数は、他者がキー電話番号に対応する所有者に電話をかけようとした際に、対応する転送先番号が選択され、その転送先番号との通話に成功した回数を示す。公開レベル（１−２）は、対応する転送先番号を他者が利用するにあたってのアクセス制限レベルを示す。
【００８４】
公開レベル（１−１），（２−１）は、対応するバックアップデータ１１０の全体についてのアクセス制限レベルを示すものである。公開レベル（１−１）は、対応するバックアップデータ１１０内の電話番号を他者が利用するにあたってのアクセス制限レベルを示す。公開レベル（２−１）は、対応するバックアップデータ１１０内のいずれかの電話帳エントリ１１３に登録された電話番号からの着信を受けた場合に、対応するバックアップデータ１１０内の電話番号を他者が利用するにあたってのアクセス制限レベルを示す。
【００８５】
一方、前述のように電話帳情報１１２には、１つまたは複数の電話帳エントリ１１３が登録される。電話帳エントリ１１３には、前述の電話番号、前述の登録名、登録名の読み、公開レベル（２−２）および転送先番号が登録される。
【００８６】
登録名の読みは、発呼元のユーザに対して登録名を読み上げる際の元になる情報である。登録名の読みは、例えば、“かな”によって表されてもよいし、ローマ字によって表されてもよい。
【００８７】
公開レベル（２−２）は、このバックアップデータ１１０内のいずれかの電話帳エントリ１１３に登録された電話番号または転送先番号からの着信を受けた場合に、対応する電話帳エントリ１１３内の電話番号を他者が利用するにあたってのアクセス制限レベルを示す。
【００８８】
転送先番号には、登録日時、利用回数および公開レベル（１−３）が対応付けて登録される。また、電話帳エントリ１１３には、複数の転送先番号を登録することができる。複数の転送先番号が登録される場合、転送先番号ごとに登録日時、利用回数および公開レベル（１−３）が登録される。ただし、公開レベル（１−３）については複数の転送先番号に対して共通に設定されていてもよい。
【００８９】
登録日時は、対応する転送先番号が登録された日時を示す。利用回数は、電話帳エントリ１１３に登録された電話番号に電話をかけようとした際に、対応する転送先番号が選択され、その転送先番号との通話に成功した回数を示す。公開レベル（１−３）は、対応する転送先番号を他者が利用するにあたってのアクセス制限レベルを示す。
【００９０】
なお、上記の公開レベル（１−１），（１−２），（１−３），（２−１），（２−２）には、制限の緩い方から「公開」、「発呼のみ」および「非公開」の３段階のいずれかが設定される。「公開」は、各公開レベルが対象とする電話番号へ他者が電話をかけることと、それらの電話番号を他者へ通知することの両方を許可することを示す。「発呼のみ」は、各公開レベルが対象とする電話番号へ他者が電話をかけることは許可するが、それらの電話番号を他者へ通知することは許可しないことを示す。「非公開」は、各公開レベルが対象とする電話番号へ他者が電話をかけることと、それらの電話番号を他者へ通知することのどちらも許可しないことを示す。
【００９１】
図１０は、電話帳管理サーバへの電話帳バックアップの処理例を示すシーケンス図である。前述したように、電話帳管理サーバ１００への電話帳情報のバックアップ方法は、特に限定されない。図１０では例として、各電話機２００に記憶された電話帳情報が、通話サービスを提供する事業者が運営する事業者サーバ３２０を経由して電話帳管理サーバ１００に送信される場合の処理を示す。
【００９２】
まず、電話機２００と事業者サーバ３２０とが接続される（ステップＳ６１）。例えば、電話機２００からの発呼に応じて、電話機２００と事業者サーバ３２０とが接続される。あるいは、電話機２００が有するインターネット接続機能により、電話機２００と事業者サーバ３２０とがＩＰネットワーク３３０を介して接続されてもよい。
【００９３】
電話機２００は、自機に記憶された電話帳情報を事業者サーバ３２０に送信する（ステップＳ６２）。例えば、電話機２００は、初回送信時には電話帳情報に登録されたすべての情報を送信し、２回目以降は、電話帳情報に登録された情報のうち、前回送信時との差分情報のみを事業者サーバ３２０に送信する。
【００９４】
事業者サーバ３２０は、電話機２００から送信された電話帳情報によって、自機が保存している電話帳情報を更新する（ステップＳ６３）。電話帳情報の更新が完了すると、電話機２００と事業者サーバ３２０との接続が切断される（ステップＳ６４）。
【００９５】
なお、ステップＳ６１，Ｓ６２，Ｓ６４の処理は、電話機２００を使用するユーザの操作に応じて行われてもよいし、あるいは、電話機２００によって自動的に（例えば定期的に）実行されてもよい。
【００９６】
次に、事業者サーバ３２０と電話帳管理サーバ１００とが、ＩＰネットワーク３３０を介して接続される（ステップＳ６５）。事業者サーバ３２０は、自機が保存している電話帳情報のうち、前回送信時から更新された分の情報を電話帳管理サーバ１００に送信する（ステップＳ６６）。
【００９７】
電話帳管理サーバ１００は、事業者サーバ３２０から送信された電話帳情報によって、自機が保存しているバックアップデータ１１０の電話帳情報１１２を更新する（ステップＳ６７）。電話帳情報の更新が完了すると、事業者サーバ３２０と電話帳管理サーバ１００との接続が切断される（ステップＳ６８）。
【００９８】
なお、ステップＳ６５〜Ｓ６８の処理は、事業者サーバ３２０、電話帳管理サーバ１００のどちらからの指示を契機として行われてもよい。また、ステップＳ６５〜Ｓ６８の処理は、例えば定期的に行われてもよい。あるいは、ステップＳ６５〜Ｓ６８の処理は、事業者サーバ３２０に保存された電話帳情報が更新されたことを契機として実行されてもよい。
【００９９】
次に、利用サービス処理部１３０の処理例についてフローチャートを用いて説明する。まず、図１１は、利用サービス処理部によるメイン処理の例を示すフローチャートである。
【０１００】
［ステップＳ１０１］利用サービス処理部１３０は、電話機からの着信を受け、これに応答する。このとき、利用サービス処理部１３０は、キー電話番号と、発呼元電話番号とを受信し、ＲＡＭ１０２に一時的に保存する。
【０１０１】
［ステップＳ１０２］利用サービス処理部１３０は、受信したキー電話番号に対応するバックアップデータ１１０を検索する。利用サービス処理部１３０は、対応するバックアップデータ１１０が検索された場合には、ステップＳ１０４の処理を実行する。一方、利用サービス処理部１３０は、対応するバックアップデータ１１０が電話帳管理サーバ１００に登録されていない場合には、ステップＳ１０３の処理を実行する。
【０１０２】
なお、対応するバックアップデータ１１０が検索された場合、利用サービス処理部１３０は、ステップＳ１０４以降、基本的に、検索されたバックアップデータ１１０を参照しながら処理を行う。以下の説明では、このバックアップデータ１１０を「所有者のバックアップデータ１１０」と呼ぶ。
【０１０３】
［ステップＳ１０３］利用サービス処理部１３０は、対応する情報が登録されていない旨を示す音声メッセージを発呼元の電話機に出力し、回線を切断する。
［ステップＳ１０４］利用サービス処理部１３０は、発呼元の電話機の使用者（以下、「発信者」と呼ぶ）がキー電話番号に対応する所有者本人かを問い合わせる音声メッセージを、発呼元の電話機に出力して、発呼元の電話機からの応答信号を監視する。
【０１０４】
例えば、利用サービス処理部１３０は、「電話帳利用サービスです。所有者本人の場合は１を、ご家族・ご友人の場合は３を押してください。」という音声メッセージを出力する。この音声メッセージを聞いた発信者は、電話番号の入力ボタンのうち「１」または「３」を押下することで、電話帳管理サーバ１００に対して自身が所有者本人か、または他者（家族、友人など）かを通知する。
【０１０５】
［ステップＳ１０５］利用サービス処理部１３０は、応答信号に基づき、発信者が所有者本人である場合にはステップＳ１０６の処理を実行し、発信者が他者である場合にはステップＳ１０７の処理を実行する。
【０１０６】
［ステップＳ１０６］利用サービス処理部１３０は、所有者本人へのサービスの提供処理を実行する。処理の詳細については図１２で説明する。
［ステップＳ１０７］利用サービス処理部１３０は、他者へのサービスの提供処理を実行する。処理の詳細については図１９で説明する。
【０１０７】
図１２は、所有者本人へのサービスの提供処理例を示すフローチャートである。この図１２の処理は、図１１のステップＳ１０６の処理に対応する。
本実施の形態においては、所有者本人へ提供されるサービスには、所有者による電話帳情報１１２の利用（ステップＳ１２６に対応）と、所有者によるバックアップデータ１１０に登録された情報のメンテナンス（ステップＳ１２７に対応）とがある。
【０１０８】
［ステップＳ１２１］利用サービス処理部１３０は、暗証番号の入力を求める音声メッセージを発呼元の電話機に出力して、応答信号を監視する。
［ステップＳ１２２］音声メッセージを聞いた発信者（所有者本人）は、電話番号の入力ボタンを用いて暗証番号を入力する。利用サービス処理部１３０は、所有者のバックアップデータ１１０に含まれる所有者情報１１１（以下、「所有者の所有者情報１１１」と呼ぶ）から、所有者用暗証番号（図９参照）を読み出し、読み出した所有者用暗証番号を、発信者によって入力された暗証番号と照合する。
【０１０９】
利用サービス処理部１３０は、暗証番号同士が一致した場合にはステップＳ１２４の処理を実行し、一致しなかった場合にはステップＳ１２３の処理を実行する。
［ステップＳ１２３］利用サービス処理部１３０は、入力された暗証番号が正しくない旨を通知する音声メッセージを、発呼元の電話機に出力して、回線を切断する。なお、このステップＳ１２３では、すぐに回線を切断するのではなく、例えば、発信者に暗証番号を再入力させてステップＳ１２２の処理を再度行うようにしてもよい。
【０１１０】
［ステップＳ１２４］利用サービス処理部１３０は、電話帳情報１１２の利用、あるいは登録情報のメンテナンスのどちらのサービスを利用するかの選択入力を求める音声メッセージを、発呼元の電話機に出力して、応答信号を監視する。
【０１１１】
例えば、利用サービス処理部１３０は、「電話帳をご利用の場合は１を、メンテナンスする場合は３を押してください。」という音声メッセージを出力する。この音声メッセージを聞いた発信者は、電話番号の入力ボタンのうち「１」または「３」を押下することで、電話帳情報１１２を利用するか、あるいは登録情報のメンテナンスを行うかを電話帳管理サーバ１００に通知する。
【０１１２】
［ステップＳ１２５］利用サービス処理部１３０は、応答信号に基づき、電話帳情報１１２の利用が通知された場合にはステップＳ１２６の処理を実行し、登録情報のメンテナンスが通知された場合にはステップＳ１２７の処理を実行する。
【０１１３】
［ステップＳ１２６］利用サービス処理部１３０は、所有者による電話帳情報１１２の利用のための処理を実行する。処理の詳細については図１３で説明する。
［ステップＳ１２７］利用サービス処理部１３０は、所有者による登録情報のメンテナンスのための処理を実行する。処理の詳細については図１６で説明する。
【０１１４】
図１３は、所有者による電話帳情報の利用のための処理例を示すフローチャートである。この図１３の処理は、図１２のステップＳ１２６の処理に対応する。
図１３の処理では、所有者のバックアップデータ１１０に含まれる電話帳情報１１２（以下、「所有者の電話帳情報１１２」と呼ぶ）から、所望の電話帳エントリ１１３が発信者によって選択される。そして、選択された電話帳エントリ１１３に登録された電話番号へ発呼（ステップＳ１４９に対応）を行うか、あるいは登録された電話番号の読み上げ（ステップＳ１５０に対応）を行うかが、発信者によって選択される。
【０１１５】
なお、本実施の形態では例として、電話帳エントリ１１３の選択方法として、登録名のかな文字の読みを基に電話帳エントリ１１３を検索する方法が用いられるが、他の例としては、登録名のローマ字の読みを基に検索する、電話帳エントリ１１３ごとにあらかじめ設定されたグループを単位として検索するなどの方法を用いることも可能である。
【０１１６】
［ステップＳ１４１］利用サービス処理部１３０は、利用する電話帳エントリ１１３の登録名の頭文字の入力を求める音声メッセージを、発呼元の電話機に出力して、応答信号を監視する。
【０１１７】
頭文字が“かな”によって指定される場合、例えば、頭文字を２桁の数字によって指定する方法を用いることができる。この方法の例としては、１桁目の数字によって、「あ」，「か」，・・・，「わ」の各行が指定され、２桁目の数字によって、指定された行の何番目の文字を選択するかが指定される。例えば、「う」は「１３」によって指定され、「き」は「２２」によって指定される。この方法が用いられる場合、発信者は、電話番号入力ボタンを２回連続して押下することで、２桁の数字を入力する。
【０１１８】
［ステップＳ１４２］利用サービス処理部１３０は、発信者によって入力された頭文字を認識する。利用サービス処理部１３０は、登録名の頭文字が認識した頭文字と一致する電話帳エントリ１１３をすべて抽出する。抽出された電話帳エントリ１１３は、例えば、登録名を構成する“かな”に応じてソートされる。
【０１１９】
［ステップＳ１４３］利用サービス処理部１３０は、ステップＳ１４２で抽出した電話帳エントリ１１３の１つを選択する。利用サービス処理部１３０は、選択した電話帳エントリ１１３に登録された登録名の読みに基づいて、登録名を読み上げた音声メッセージを発呼元の電話機に出力し、さらに、読み上げた登録名を選択するかの入力を求める音声メッセージを出力する。
【０１２０】
例えば、利用サービス処理部１３０は、「１番目の人は「さいとうじゅんこ」さんです。選択する場合は１を、次の人を読み上げる場合は３を押してください。」という音声メッセージを出力する。この音声メッセージを聞いた発信者は、電話番号の入力ボタンのうち「１」または「３」を押下することで、読み上げられた登録名を選択するかを電話帳管理サーバ１００に通知する。なお、利用サービス処理部１３０は、所定時間以内に電話機からの応答信号を受信しなかった場合には、読み上げられた登録名を選択しないと認識してもよい。
【０１２１】
［ステップＳ１４４］利用サービス処理部１３０は、応答信号に基づき、登録名を選択することが通知された場合にはステップＳ１４７の処理を実行し、登録名を選択しないことが通知された場合にはステップＳ１４５の処理を実行する。
【０１２２】
［ステップＳ１４５］利用サービス処理部１３０は、ステップＳ１４２で抽出した電話帳エントリ１１３のすべてについて、登録名の読み上げが実行されたかを判定する。利用サービス処理部１３０は、すべての電話帳エントリ１１３の登録名が読み上げ済みの場合にはステップＳ１４６の処理を実行する。一方、利用サービス処理部１３０は、登録名が読み上げられていない電話帳エントリ１１３がある場合には、ステップＳ１４３の処理を実行する。この場合、ステップＳ１４３では、ステップＳ１４２で抽出された電話帳エントリ１１３のうち、ソート順が次の電話帳エントリ１１３の登録名の読み上げが行われる。
【０１２３】
［ステップＳ１４６］利用サービス処理部１３０は、入力された頭文字を有する登録名の読み上げが完了したので、これらの読み上げを再度行う旨を示す音声メッセージを、発呼元の電話機に出力する。この後、ステップＳ１４３の処理が実行される。この場合、ステップＳ１４３では、ステップＳ１４２で抽出された電話帳エントリ１１３のうち、ソート順が１番目の電話帳エントリ１１３の登録名の読み上げが行われる。
【０１２４】
［ステップＳ１４７］利用サービス処理部１３０は、選択された登録名に対応する電話番号（登録済み番号）に発呼するか、あるいはその電話番号を読み上げるかの選択入力を求める音声メッセージを、発呼元の電話機に出力して、応答信号を監視する。
【０１２５】
例えば、利用サービス処理部１３０は、「このまま電話をかける場合は１を、電話番号を確認する場合は３を押してください。」という音声メッセージを出力する。この音声メッセージを聞いた発信者は、電話番号の入力ボタンのうち「１」または「３」を押下することで、登録済み番号に発呼するか、あるいは登録済み番号の読み上げを実行させるかを電話帳管理サーバ１００に通知する。
【０１２６】
［ステップＳ１４８］利用サービス処理部１３０は、応答信号に基づき、登録済み番号へ発呼することが通知された場合にはステップＳ１４９の処理を実行し、登録済み番号の読み上げを実行することが通知された場合にはステップＳ１５０の処理を実行する。
【０１２７】
［ステップＳ１４９］利用サービス処理部１３０は、登録済み番号への発呼処理を実行する。処理の詳細については図１４で説明する。
［ステップＳ１５０］利用サービス処理部１３０は、登録済み番号の読み上げ処理を実行する。処理の詳細については図１５で説明する。
【０１２８】
図１４は、登録済み番号への発呼処理例を示すフローチャートである。この図１４の処理は、図１３のステップＳ１４９の処理に対応し、図１３のステップＳ１４４で選択された登録名を含む電話帳エントリ１１３（選択された電話帳エントリ１１３）が参照される。
【０１２９】
［ステップＳ１６１］利用サービス処理部１３０は、選択された電話帳エントリ１１３に転送先番号が登録されているかを判定する。利用サービス処理部１３０は、転送先番号が登録されていない場合にはステップＳ１６２の処理を実行し、転送先番号が登録されている場合にはステップＳ１６３の処理を実行する。
【０１３０】
［ステップＳ１６２］利用サービス処理部１３０は、選択された電話帳エントリ１１３に登録された電話番号を交換機３１１に通知して、発呼元の電話機と、通知した電話番号に対応する電話機との回線を接続するように、交換機３１１に要求する。
【０１３１】
要求を受けた交換機３１１は、通知された電話番号に対応する電話機へ発呼し、その電話機と、発呼元の電話機との回線の接続を試みる。発呼先の電話機が応答すると、それぞれの電話機の間で回線が接続され、各電話機の使用者同士の通話が可能になる。
【０１３２】
なお、ステップＳ１６２の処理は、図４のステップＳ１５，Ｓ１６の処理に対応する。
［ステップＳ１６３］前述のように、電話帳エントリ１１３には複数の転送先番号が登録される可能性がある。そこで、利用サービス処理部１３０は、電話帳エントリ１１３に登録された転送先番号のリストを作成する。転送先番号リストにおいては、転送先番号が、各転送先番号に対応付けられた登録日時および利用回数に基づいてソートされる。基本的に、登録日時が遅いほど、また利用回数が多いほど、転送先番号はリスト内の先頭に近い位置に登録される。
【０１３３】
なお、この転送先番号リスト作成処理の詳細については後述する。
［ステップＳ１６４］利用サービス処理部１３０は、転送先番号リストに登録された転送先番号の数を通知する音声メッセージを、発呼元の電話機に出力する。さらに、利用サービス処理部１３０は、何番目の転送先番号リストを選択するかの入力を求める音声メッセージを出力して、応答信号を監視する。例えば、利用サービス処理部１３０は、「転送先がｎ件登録されています。新しい方から何番目の転送先を選択しますか？」という音声メッセージを出力する。
【０１３４】
音声メッセージを聞いた発信者は、電話番号の入力ボタンを用いて番号を通知する。前述のように、転送先番号リストにおいては、各転送先番号は、登録日時が遅いほど、また利用回数が多いほど、リスト内の先頭に近い位置に登録される。このため、発信者は基本的に、最も小さい番号（「１」）を入力することで、高い確率で所望の相手と連絡をとることができる。
【０１３５】
［ステップＳ１６５］利用サービス処理部１３０は、入力された番号を認識する。
［ステップＳ１６６］利用サービス処理部１３０は、入力された番号に対応する転送先番号（すなわち、発信者によって選択された転送先番号）を交換機３１１に通知して、発呼元の電話機と、通知した転送先番号に対応する電話機との回線を接続するように、交換機３１１に要求する。
【０１３６】
要求を受けた交換機３１１は、通知された転送先番号に対応する電話機へ発呼し、その電話機と、発呼元の電話機との回線の接続を試みる。発呼先の電話機が応答すると、それぞれの電話機の間で回線が接続され、各電話機の使用者同士の通話が可能になる。
【０１３７】
なお、このステップＳ１６６の処理は、図７のステップＳ４５，Ｓ４６の処理に対応する。
［ステップＳ１６７］ステップＳ１６６の処理により、発呼先の電話機が応答し、電話機間での回線接続に成功した場合、交換機３１１は、接続に成功したことを利用サービス処理部１３０に通知する。利用サービス処理部１３０は、ステップＳ１６５で選択された転送先番号に対応付けられた利用回数を「１」だけインクリメントする。
【０１３８】
なお、利用サービス処理部１３０は例えば、ステップＳ１６７の処理の代わりに、ステップＳ１６５で転送先番号の選択を受けた時点で、選択された転送先番号に対応付けられた利用回数を「１」だけインクリメントしてもよい。
【０１３９】
以上の図１４の処理によれば、発信者に選択された登録済み番号に対して転送先番号が登録されていない場合には、登録済み電話番号に対する発呼が行われる（ステップＳ１６２）。一方、転送先番号が登録されていた場合には、発信者によって転送先番号が選択され、選択された転送先番号に対する発呼が行われる（ステップＳ１６７）。発信者は、電話機への番号入力という簡単な操作によって、自身の電話帳情報１１２に登録された電話番号または転送先番号に電話をかけることができる。
【０１４０】
なお、ステップＳ１６１において転送先番号が登録されていた場合には、例えば、ステップＳ１６４での発信者による転送先番号の選択が行われずに、転送先番号リストの先頭に登録された転送先番号に対して自動的に発呼が行われてもよい。
【０１４１】
図１５は、登録済み番号の読み上げ処理例を示すフローチャートである。この図１５の処理は、図１３のステップＳ１５０の処理に対応し、図１３のステップＳ１４４で選択された登録名を含む電話帳エントリ１１３（選択された電話帳エントリ１１３）が参照される。
【０１４２】
［ステップＳ１７１］利用サービス処理部１３０は、選択された電話帳エントリ１１３に登録された電話番号を読み上げた音声メッセージを、発呼元の電話機に出力する。例えば、利用サービス処理部１３０は、「「さいとうじゅんこ」さんの電話番号は「０９０−ｘｘｘｘ−ｘｘｘｘ」です。」という音声メッセージを出力する。
【０１４３】
［ステップＳ１７２］利用サービス処理部１３０は、選択された電話帳エントリ１１３に転送先番号が登録されているかを判定する。利用サービス処理部１３０は、転送先番号が登録されていない場合には、回線を切断して処理を終了する。一方、利用サービス処理部１３０は、転送先番号が登録されている場合にはステップＳ１７３の処理を実行する。
【０１４４】
［ステップＳ１７３］利用サービス処理部１３０は、図１４のステップＳ１６３と同様の手順により、電話帳エントリ１１３に登録された転送先番号のリストを作成する。なお、この転送先番号リスト作成処理の詳細については後述する。
【０１４５】
［ステップＳ１７４］利用サービス処理部１３０は、作成した転送先番号リストに登録された転送先番号を先頭から順に読み上げた音声メッセージを、発呼元の電話機に出力する。例えば、利用サービス処理部１３０は、「転送先がｎ件登録されています。１番目の転送先は「０９０−ｙｙｙｙ−ｙｙｙｙ」です。２番目の転送先は・・・」という音声メッセージを出力する。
【０１４６】
以上の図１５の処理によれば、発信者は、電話機への番号入力という簡単な操作によって、選択した登録名の電話番号を確認することができる。また、その電話番号に転送先番号が登録されていた場合には、転送先番号も確認することができる。
【０１４７】
図１６は、登録情報のメンテナンスのための処理例を示すフローチャートである。この図１６の処理は、図１２のステップＳ１２７の処理に対応する。
［ステップＳ１９１］利用サービス処理部１３０は、メンテナンスの種別の選択入力を求める音声メッセージを、発呼元の電話機に出力して、応答信号を監視する。
【０１４８】
ここでは例として、メンテナンスの種別として、キー電話番号または電話帳エントリ１１３内の電話番号に対する転送先番号の設定、所有者の電話帳情報１１２への電話番号の設定、およびその他の設定があるものとする。この場合、例えば、「メンテナンスが選択されました。転送先を設定する場合は１を、電話帳へ番号を設定する場合は２を、その他の設定を行う場合は３を押してください。」という音声メッセージを出力する。この音声メッセージを聞いた発信者（所有者）は、電話番号の入力ボタンのうち「１」，「２」，「３」のいずれかを押下することで、転送先番号を設定するか、電話帳情報１１２へ電話番号を設定するか、あるいはその他の設定を行うかを電話帳管理サーバ１００に通知する。
【０１４９】
［ステップＳ１９２，Ｓ１９３］利用サービス処理部１３０は、応答信号に基づいて、次に実行する処理を判定する。利用サービス処理部１３０は、転送先番号を設定することが通知された場合にはステップＳ１９４の処理を実行し、電話帳情報１１２へ電話番号を設定することが通知された場合にはステップＳ１９５の処理を実行し、その他の設定を行うことが通知された場合にはステップＳ１９６の処理を実行する。
【０１５０】
［ステップＳ１９４］利用サービス処理部１３０は、転送先番号の設定処理を実行する。処理の詳細については図１７で説明する。
［ステップＳ１９５］利用サービス処理部１３０は、電話帳情報１１２への電話番号設定処理を実行する。この処理の詳細については説明を省略するが、利用サービス処理部１３０は、例えば、発信者の入力操作に応じて、電話帳情報１１２への電話番号の追加（すなわち、電話帳エントリ１１３の追加）、電話帳情報１１２からの電話番号の削除（すなわち、電話帳エントリ１１３の削除）、電話帳情報１１２からの電話番号の全削除（すなわち、電話帳情報１１２に含まれるすべての電話帳エントリ１１３の削除）などを実行する。利用サービス処理部１３０は、これらの処理を、発呼元の電話機に対して操作を案内する音声メッセージを出力し、発信者の番号入力操作に応じた応答信号を受信することによって実行する。
【０１５１】
［ステップＳ１９６］利用サービス処理部１３０は、その他の設定処理を実行する。この処理の詳細については説明を省略するが、利用サービス処理部１３０は、例えば、発信者の入力操作に応じて、所有者情報１１１への各種暗証番号の設定や更新、各種公開レベルの設定や更新などを実行する。利用サービス処理部１３０は、これらの処理を、発呼元の電話機に対して操作を案内する音声メッセージを出力し、発信者の番号入力操作に応じた応答信号を受信することによって実行する。
【０１５２】
図１７は、転送先番号の設定処理例を示すフローチャートである。この図１７の処理は、図１６のステップＳ１９４の処理に対応する。
［ステップＳ２１１］利用サービス処理部１３０は、転送先番号の設定種別の選択入力を求める音声メッセージを、発呼元の電話機に出力して、応答信号を監視する。
【０１５３】
ここでは例として、転送先番号の設定種別として、転送先番号の追加、転送先番号の削除、および転送先番号の全削除があるものとする。この場合、例えば、「転送先の設定が選択されました。転送先を追加する場合は１を、転送先を削除する場合は２を、すべての転送先を削除する場合は３を押してください。」という音声メッセージを出力する。この音声メッセージを聞いた発信者（所有者）は、電話番号の入力ボタンのうち「１」，「２」，「３」のいずれかを押下することで、転送先番号を追加するか、削除するか、全削除するかを電話帳管理サーバ１００に通知する。
【０１５４】
［ステップＳ２１２，Ｓ２１３］利用サービス処理部１３０は、応答信号に基づいて、次に実行する処理を判定する。利用サービス処理部１３０は、転送先番号の追加が通知された場合にはステップＳ２１４の処理を実行し、転送先番号の削除が通知された場合にはステップＳ２１８の処理を実行し、転送先番号の全削除が通知された場合にはステップＳ２１９の処理を実行する。
【０１５５】
［ステップＳ２１４］利用サービス処理部１３０は、転送先番号の追加対象を所有者情報１１１と電話帳情報１１２のどちらにするかの選択入力を求める音声メッセージを、発呼元の電話機に出力して、応答信号を監視する。
【０１５６】
例えば、利用サービス処理部１３０は、「転送先の追加が選択されました。所有者本人の転送先を追加する場合は１を、電話帳に転送先を追加する場合は３を押してください。」という音声メッセージを出力する。この音声メッセージを聞いた発信者は、電話番号の入力ボタンのうち「１」または「３」を押下することで、所有者情報１１１に転送先番号を追加するか、あるいは電話帳情報１１２に転送先番号を追加するかを電話帳管理サーバ１００に通知する。
【０１５７】
［ステップＳ２１５］利用サービス処理部１３０は、応答信号に基づき、所有者情報１１１に転送先番号を追加することが通知された場合にはステップＳ２１６の処理を実行し、電話帳情報１１２に転送先番号を追加することが通知された場合にはステップＳ２１７の処理を実行する。
【０１５８】
［ステップＳ２１６］利用サービス処理部１３０は、所有者情報１１１への転送先番号の追加処理を実行する。処理の詳細については図１８で説明する。
［ステップＳ２１７］利用サービス処理部１３０は、電話帳情報１１２への転送先番号の追加処理を実行する。この処理の詳細については説明を省略するが、利用サービス処理部１３０は、例えば、図１３のステップＳ１４１〜Ｓ１４６に示した手順で、転送先番号を追加する電話帳エントリ１１３を発信者に選択させる。さらに、利用サービス処理部１３０は、追加する転送先番号を発信者に入力させて、選択された電話帳エントリ１１３に対して、入力された転送先番号を追加する。
【０１５９】
［ステップＳ２１８］利用サービス処理部１３０は、転送先番号の削除処理を実行する。この処理の詳細については説明を省略するが、基本的に、ステップＳ２１４〜Ｓ２１７と同様の手順で、所有者情報１１１、または発信者に選択された電話帳エントリ１１３から、登録されている転送先番号を削除する。
【０１６０】
［ステップＳ２１９］利用サービス処理部１３０は、転送先番号の全削除処理を実行する。この処理の詳細については説明を省略するが、基本的に、ステップＳ２１４〜Ｓ２１７と同様の手順で、所有者情報１１１、または発信者に選択された電話帳エントリ１１３から、登録されているすべての転送先番号を削除する。
【０１６１】
図１８は、所有者情報への転送先番号の追加処理例を示すフローチャートである。
［ステップＳ２３１］利用サービス処理部１３０は、追加する転送先番号の入力を求める音声メッセージを発呼元の電話機に出力して、応答信号を監視する。例えば、利用サービス処理部１３０は、「追加する転送先の番号を入力してください。」という音声メッセージを出力する。この音声メッセージを聞いた発信者（所有者）は、電話番号の入力ボタンを用いて転送先番号を入力する。
【０１６２】
［ステップＳ２３２］利用サービス処理部１３０は、入力された転送先番号を認識して、所有者情報１１１に対し、転送先番号を登録日時とともに登録する。すでに転送先番号が登録されている場合には、入力された転送先番号および登録日時が追加で登録される。
【０１６３】
［ステップＳ２３３］利用サービス処理部１３０は、転送先番号を登録した所有者のバックアップデータ１１０以外の、他の所有者のバックアップデータ１１０から、所有者のキー電話番号が電話番号の欄に登録された電話帳エントリ１１３を検索する。利用サービス処理部１３０は、電話帳エントリ１１３が１つでも抽出された場合にはステップＳ２３４の処理を実行し、電話帳エントリ１１３が１つも抽出されなかった場合には処理を終了する。
【０１６４】
［ステップＳ２３４］利用サービス処理部１３０は、ステップＳ２３３で抽出された電話帳エントリ１１３に、ステップＳ２３２で登録した転送先番号を登録日時とともに登録する。この処理は、図６のステップＳ３２の処理に対応する。
【０１６５】
以上の図１８の処理によれば、発信者（所有者）は、電話機への番号入力という簡単な操作によって、自身に対応するキー電話番号に対して転送先番号を登録することができる（ステップＳ２３２）。また、キー電話番号に対して転送先番号が登録されると、このキー電話番号が電話番号の欄に登録された、他のバックアップデータ１１０内の電話帳エントリ１１３に対しても、転送先番号が自動的に登録されて、転送先番号の同期が行われる。これにより、他のバックアップデータ１１０の電話帳情報１１２を用いて、図１８における発信者に電話をかけることが要求された場合に、その発信者に対して設定された転送先番号に発呼されることになり、発信者と連絡をとることができる可能性が高くなる。
【０１６６】
なお、ステップＳ２３２において転送先番号が登録された後、利用サービス処理部１３０は、例えば、さらに発信者に対して公開レベル（１−２）（図９参照）の入力を求める音声メッセージを出力して、発信者に公開レベル（１−２）を入力させ、入力された公開レベル（１−２）を登録した転送先番号に対応付けて登録してもよい。
【０１６７】
転送先番号に公開レベル（１−２）が登録された場合、ステップＳ２３４では、利用サービス処理部１３０は、登録された公開レベル（１−２）を、ステップＳ２３３で抽出された電話帳エントリ１１３に新たに登録した転送先番号に公開レベル（１−３）として対応付けて登録する。これにより、電話帳エントリ１１３に登録された転送先番号が、その転送先番号を自身の所有者情報１１１に登録した所有者の意図に反して他者に利用される事態が防止される。
【０１６８】
図１９は、他者へのサービスの提供処理例を示すフローチャートである。この図１９の処理は、図１１のステップＳ１０７の処理に対応する。
本実施の形態においては、所有者以外の他者に対して提供されるサービスには、大別して、他者による所有者情報１１１の利用と、他者による所有者の電話帳情報１１２の利用（ステップＳ２６１に対応）とがある。また、他者による所有者情報１１１の利用には、所有者の呼び出し（ステップＳ２５９に対応）と、所有者に設定された転送先番号の確認（ステップＳ２６０に対応）とがある。
【０１６９】
［ステップＳ２５１］利用サービス処理部１３０は、所有者情報１１１の利用、あるいは電話帳情報１１２の利用のどちらのサービスを利用するかの選択入力を求める音声メッセージを、発呼元の電話機に出力して、応答信号を監視する。
【０１７０】
例えば、利用サービス処理部１３０は、「所有者の電話番号に関する処理を行う場合は１を、電話帳をご利用の場合は３を押してください。」という音声メッセージを出力する。この音声メッセージを聞いた発信者（他者）は、電話番号の入力ボタンのうち「１」または「３」を押下することで、所有者情報１１１を利用するか、あるいは電話帳情報１１２を利用するかを電話帳管理サーバ１００に通知する。
【０１７１】
［ステップＳ２５２］利用サービス処理部１３０は、応答信号に基づき、所有者情報１１１の利用が通知された場合にはステップＳ２５３の処理を実行し、電話帳情報１１２の利用が通知された場合にはステップＳ２６１の処理を実行する。
【０１７２】
［ステップＳ２５３］利用サービス処理部１３０は、発信者の認証が必要かを判定する。この処理では、利用サービス処理部１３０は、所有者の所有者情報１１１に自番号公開用暗証番号（図９参照）が設定されている場合に、発信者の認証が必要と判定する。
【０１７３】
利用サービス処理部１３０は、認証が必要と判定した場合にはステップＳ２５４の処理を実行し、認証が不要と判定した場合にはステップＳ２５７の処理を実行する。
［ステップＳ２５４］利用サービス処理部１３０は、暗証番号の入力を求める音声メッセージを発呼元の電話機に出力して、応答信号を監視する。
【０１７４】
［ステップＳ２５５］音声メッセージを聞いた発信者は、電話番号の入力ボタンを用いて暗証番号を入力する。利用サービス処理部１３０は、所有者の所有者情報１１１から自番号公開用暗証番号を読み出し、読み出した自番号公開用暗証番号を、発信者によって入力された暗証番号と照合する。
【０１７５】
利用サービス処理部１３０は、暗証番号同士が一致した場合にはステップＳ２５７の処理を実行し、一致しなかった場合にはステップＳ２５６の処理を実行する。
［ステップＳ２５６］利用サービス処理部１３０は、入力された暗証番号が正しくない旨を通知する音声メッセージを、発呼元の電話機に出力して、回線を切断する。なお、このステップＳ２５６では、すぐに回線を切断するのではなく、例えば、発信者に暗証番号を再入力させてステップＳ２５５の処理を再度行うようにしてもよい。
【０１７６】
［ステップＳ２５７］利用サービス処理部１３０は、所有者の呼び出し、あるいは所有者の転送先番号確認のどちらのサービスを利用するかの選択入力を求める音声メッセージを、発呼元の電話機に出力して、応答信号を監視する。
【０１７７】
例えば、利用サービス処理部１３０は、「所有者を呼び出す場合は１を、所有者の転送先番号を確認する場合は３を押してください。」という音声メッセージを出力する。この音声メッセージを聞いた発信者は、電話番号の入力ボタンのうち「１」または「３」を押下することで、所有者を呼び出すか、あるいは転送先番号を確認するかを電話帳管理サーバ１００に通知する。
【０１７８】
［ステップＳ２５８］利用サービス処理部１３０は、応答信号に基づき、所有者の呼び出しが通知された場合にはステップＳ２５９の処理を実行し、転送先番号確認が通知された場合にはステップＳ２６０の処理を実行する。
【０１７９】
［ステップＳ２５９］利用サービス処理部１３０は、所有者の呼び出し処理を実行する。処理の詳細については図２０で説明する。
［ステップＳ２６０］利用サービス処理部１３０は、所有者の転送先番号確認のための処理を実行する。処理の詳細については図２１で説明する。
【０１８０】
［ステップＳ２６１］利用サービス処理部１３０は、他者による電話帳情報１１２の利用のための処理を実行する。
このステップＳ２６１の処理の詳細については説明を省略するが、基本的には、図１３〜図１５と同様の手順により、発信者（他者）の入力に応じて電話帳エントリ１１３が選択され、選択された電話帳エントリ１１３に登録された電話番号への発呼か、または登録された電話番号の読み上げが行われる。また、電話帳エントリ１１３に転送先番号が登録されている場合には、登録されている転送先番号への発呼か、または転送先番号の読み上げが行われる。この場合、登録されている転送先番号がリスト化され、発呼の場合には、発信者からリスト内の順序を示す番号の入力を受けて、番号に対応する転送先番号への発呼が行われる一方、読み上げの場合には、リストの先頭から転送先番号が順に読み上げられる。ただし、図１４，図１５と異なる点は、転送先番号を転送先番号リストに登録する際に、所有者情報１１１に登録された公開レベル（１−１），（２−１）および該当電話帳エントリ１１３に登録された公開レベル（２−２），（１−３）に基づき、他者への番号の公開またはその番号への発呼が許可された転送先番号のみが転送先番号リストに登録される点である。
【０１８１】
このステップＳ２６１によれば、他者は、電話機への番号入力という簡単な操作によって、自身以外の所有者の電話帳情報１１２に登録された電話番号や転送先番号に対して発呼することや、この電話番号や転送先番号を確認することができる。
【０１８２】
図２０は、他者による所有者の呼び出しの処理例を示すフローチャートである。この図２０の処理は、図１９のステップＳ２５９の処理に対応する。また、図２０の処理は、基本的に、図１４の処理手順を電話帳エントリ１１３の代わりに所有者情報１１１に適用したものであるが、公開レベルに基づき、発呼が許可されている番号に対してのみ発呼される点が異なる。
【０１８３】
［ステップＳ２８１］利用サービス処理部１３０は、所有者情報１１１に転送先番号が登録されているかを判定する。利用サービス処理部１３０は、転送先番号が登録されていない場合にはステップＳ２８２の処理を実行し、転送先番号が登録されている場合にはステップＳ２８４の処理を実行する。
【０１８４】
［ステップＳ２８２］利用サービス処理部１３０は、所有者情報１１１に設定された公開レベル（１−１），（２−１）に基づいて、利用権限があるかを判定する。ここで言う利用権限とは、キー電話番号に対する発呼が許可されているかを示す権限である。利用サービス処理部１３０は、次のようにして利用権限の有無を判定する。
【０１８５】
発呼元の電話機の電話番号が、電話帳情報１１２内のいずれかの電話帳エントリ１１３の電話番号の欄に登録されている場合には、公開レベル（２−１）に基づいて判定される。このケースでは、利用サービス処理部１３０は、公開レベル（２−１）が「発呼のみ」または「公開」に設定されている場合、利用権限ありと判定し、公開レベル（２−１）が「非公開」に設定されている場合、利用権限なしと判定する。
【０１８６】
発呼元の電話機の電話番号が、電話帳情報１１２内のどの電話帳エントリ１１３の電話番号の欄にも登録されていない場合には、公開レベル（１−１）に基づいて判定される。利用サービス処理部１３０は、公開レベル（１−１）が「発呼のみ」または「公開」に設定されている場合、利用権限ありと判定し、公開レベル（１−１）が「非公開」に設定されている場合、利用権限なしと判定する。
【０１８７】
利用サービス処理部１３０は、利用権限がある場合にはステップＳ２８３の処理を実行する。一方、利用サービス処理部１３０は、利用権限がない場合には、例えば、発呼元の電話機に対して利用できない旨を示す音声メッセージを出力した後、回線を切断する。
【０１８８】
［ステップＳ２８３］利用サービス処理部１３０は、所有者情報１１１に登録されたキー電話番号を交換機３１１に通知して、発呼元の電話機と、通知したキー電話番号に対応する電話機との回線を接続するように、交換機３１１に要求する。
【０１８９】
要求を受けた交換機３１１は、通知されたキー電話番号に対応する電話機へ発呼し、その電話機と、発呼元の電話機との回線の接続を試みる。発呼先の電話機が応答すると、それぞれの電話機の間で回線が接続され、各電話機の使用者同士の通話が可能になる。
【０１９０】
［ステップＳ２８４］前述のように、所有者情報１１１には複数の転送先番号が登録される可能性がある。そこで、利用サービス処理部１３０は、所有者情報１１１に登録された転送先番号のリストを作成する。転送先番号リストにおいては、転送先番号が、各転送先番号に対応付けられた登録日時および利用回数に基づいてソートされる。基本的に、登録日時が遅いほど、また利用回数が多いほど、転送先番号はリスト内の先頭に近い位置に登録される。
【０１９１】
なお、この転送先番号リスト作成処理の詳細については後述する。
［ステップＳ２８５］利用サービス処理部１３０は、転送先番号リストに登録された転送先番号の数を通知する音声メッセージを、発呼元の電話機に出力する。さらに、利用サービス処理部１３０は、何番目の転送先番号リストを選択するかの入力を求める音声メッセージを出力して、応答信号を監視する。例えば、利用サービス処理部１３０は、「転送先がｎ件登録されています。新しい方から何番目の転送先を選択しますか？」という音声メッセージを出力する。
【０１９２】
音声メッセージを聞いた発信者は、電話番号の入力ボタンを用いて番号を通知する。前述のように、転送先番号リストにおいては、各転送先番号は、登録日時が遅いほど、また利用回数が多いほど、リスト内の先頭に近い位置に登録される。このため、発信者は基本的に、最も小さい番号（「１」）を入力することで、高い確率で所有者と連絡をとることができる。
【０１９３】
［ステップＳ２８６］利用サービス処理部１３０は、入力された番号を認識する。
［ステップＳ２８７］利用サービス処理部１３０は、入力された番号に対応する転送先番号（すなわち、発信者によって選択された転送先番号）を交換機３１１に通知して、発呼元の電話機と、通知した転送先番号に対応する電話機との回線を接続するように、交換機３１１に要求する。
【０１９４】
要求を受けた交換機３１１は、通知された転送先番号に対応する電話機へ発呼し、その電話機と、発呼元の電話機との回線の接続を試みる。発呼先の電話機が応答すると、それぞれの電話機の間で回線が接続され、各電話機の使用者同士の通話が可能になる。
【０１９５】
なお、このステップＳ２８７の処理は、図５のステップＳ２５，Ｓ２６の処理に対応する。
［ステップＳ２８８］ステップＳ２８７の処理により、発呼先の電話機が応答し、電話機間での回線接続に成功した場合、交換機３１１は、接続に成功したことを利用サービス処理部１３０に通知する。利用サービス処理部１３０は、ステップＳ２８６で選択された転送先番号に対応付けられた利用回数を「１」だけインクリメントする。
【０１９６】
なお、利用サービス処理部１３０は例えば、ステップＳ２８８の処理の代わりに、ステップＳ２８６で転送先番号の選択を受けた時点で、選択された転送先番号に対応付けられた利用回数を「１」だけインクリメントしてもよい。
【０１９７】
以上の図２０の処理によれば、他者は、電話機への番号入力という簡単な操作によって、自身以外の所有者のキー電話番号や転送先番号に対して電話をかけることができる。
なお、ステップＳ２８１において転送先番号が登録されていた場合には、例えば、ステップＳ２８５での発信者による転送先番号の選択が行われずに、転送先番号リストの先頭に登録された転送先番号に対して自動的に発呼が行われてもよい。
【０１９８】
図２１は、所有者に設定された転送先番号の確認のための処理例を示すフローチャートである。この図２１の処理は、図１９のステップＳ２６０の処理に対応する。
［ステップＳ３０１］利用サービス処理部１３０は、所有者情報１１１に転送先番号が登録されているかを判定する。利用サービス処理部１３０は、転送先番号が登録されていない場合にはステップＳ３０２の処理を実行し、転送先番号が登録されている場合にはステップＳ３０３の処理を実行する。
【０１９９】
［ステップＳ３０２］利用サービス処理部１３０は、転送先番号が登録されていない旨の音声メッセージを発呼元の電話機に出力した後、回線を切断する。
［ステップＳ３０３］利用サービス処理部１３０は、図１４のステップＳ１６３と同様の手順により、所有者情報１１１に登録された転送先番号のリストを作成する。ただし、ステップＳ１６３とは異なり、転送先番号リストには、公開レベル（１−１），（１−２），（２−１）に基づいて番号の公開（読み上げ）が許可されている転送先番号のみが登録される。なお、この転送先番号リスト作成処理の詳細については後述する。
【０２００】
［ステップＳ３０４］利用サービス処理部１３０は、作成した転送先番号リストに登録された転送先番号を先頭から順に読み上げた音声メッセージを、発呼元の電話機に出力する。例えば、利用サービス処理部１３０は、「転送先がｎ件登録されています。１番目の転送先は「０９０−ｙｙｙｙ−ｙｙｙｙ」です。２番目の転送先は・・・」という音声メッセージを出力する。
【０２０１】
以上の図２１の処理によれば、発信者は、電話機への番号入力という簡単な操作によって、自身以外の所有者のキー電話番号に対応付けて登録された転送先番号を確認することができる。
【０２０２】
次に、図２２は、転送先番号リスト作成の処理例を示すフローチャートである。この図２２の処理は、図１４のステップＳ１６３、図１５のステップＳ１７３、図２０のステップＳ２８４、および図２１のステップＳ３０３に対応する。また、図１９のステップＳ２６１の処理の一部にも、図２２の処理が含まれる。
【０２０３】
以下の図２２の説明において、「処理対象の情報」とは、所有者情報１１１または電話帳エントリ１１３を指す。図１４のステップＳ１６３および図１５のステップＳ１７３においては、処理対象の情報は、発信者によって選択された電話帳エントリ１１３である。また、図１５のステップＳ１７３、図２０のステップＳ２８４、および図１９のステップＳ２６１においては、処理対象の情報は所有者情報１１１である。
【０２０４】
［ステップＳ３２１］利用サービス処理部１３０は、処理対象の情報に登録された転送先番号を、各転送先番号に対応付けられた登録日時および利用回数に基づいてソートする。利用サービス処理部１３０は、前述のように、登録日時が遅いほど、また利用回数が多いほど、転送先番号の順序を先頭に近い位置にする。
【０２０５】
具体的なソート方法としては、例えば、登録日時および利用回数をそれぞれ点数化し、登録日時に対応する点数と利用回数に対応する点数との加算値に基づいて転送先番号をソートする方法などを用いることができる。
【０２０６】
［ステップＳ３２２］利用サービス処理部１３０は、ソートした転送先番号の先頭側から順に、未選択の転送先番号を１つ選択する。
［ステップＳ３２３］利用サービス処理部１３０は、バックアップデータ１１０内の各種公開レベルに基づき、選択した転送先番号について利用権限があるかを判定する。利用権限とは、番号への発呼を行う場合には発呼が許可されているかを示す権限であり、発信者への番号の公開（読み上げ）を行う場合には公開が許可されているかを示す権限である。図２０のステップＳ２８４の場合は前者に相当し、図２１のステップＳ３０３の場合は後者に相当する。図１９のステップＳ２６１においては、登録済み番号への発呼の場合は前者に相当し、登録済み番号の読み上げの場合は後者に相当する。
【０２０７】
なお、所有者からのアクセスに応じた処理である図１４のステップＳ１６３および図１５のステップＳ１７３では、転送先番号には無条件で利用権限が与えられる。その他のケースについての公開レベルと利用権限との関係については、図２３，図２４を用いて後述する。
【０２０８】
利用サービス処理部１３０は、利用権限があると判定した場合にはステップＳ３２４の処理を実行し、利用権限がないと判定した場合にはステップＳ３２８の処理を実行する。
［ステップＳ３２４］利用サービス処理部１３０は、ステップＳ３２２で選択した転送先番号に対して二次転送先番号が登録されているかを判定する。二次転送先番号とは、選択した転送先番号がキー電話番号として登録された他のバックアップデータ１１０において、そのキー電話番号に対応付けて登録された転送先番号である。なお、以下の説明では、ステップＳ３２２で選択した転送先番号を、「一次転送先番号」と呼ぶこともある。
【０２０９】
利用サービス処理部１３０は、選択した転送先番号がキー電話番号として登録された他のバックアップデータ１１０を抽出し、抽出したバックアップデータ１１０の所有者情報１１１に転送先番号が登録されていた場合に、二次転送先が登録されていると判定する。利用サービス処理部１３０は、二次転送先が登録されていた場合にはステップＳ３２６の処理を実行し、登録されていない場合にはステップＳ３２５の処理を実行する。
【０２１０】
［ステップＳ３２５］利用サービス処理部１３０は、ステップＳ３２２で選択した転送先番号（一次転送先番号）を、転送先番号リストの最後尾に登録する。
［ステップＳ３２６］利用サービス処理部１３０は、一次転送先番号が登録されているバックアップデータ１１０内の各種公開レベルと、二次転送先番号が登録されている他の所有者情報１１１に登録された自番号公開用暗証番号とに基づいて、二次転送先番号について利用権限があるかを判定する。ステップＳ３２３の場合と同様に、この利用権限とは、番号への発呼を行う場合（図２０のステップＳ２８４，図１９のステップＳ２６１における登録済み番号への発呼の各ケース）には発呼が許可されているかを示す権限であり、発信者への番号の公開（読み上げ）を行う場合（図２１のステップＳ３０３，図１９のステップＳ２６１における登録済み番号の読み上げの各ケース）には公開が許可されているかを示す権限である。
【０２１１】
なお、二次転送先番号は複数登録されている場合がある。この場合、利用サービス処理部１３０は、例えば、二次転送先番号に対応付けられた登録日時および利用回数に基づき、ステップＳ３２１に示したソート方法で先頭位置とされた二次転送先番号を選択する。
【０２１２】
また、所有者からのアクセスに応じた処理である図１４のステップＳ１６３および図１５のステップＳ１７３では、転送先番号には無条件で利用権限が与えられる。その他のケースについての公開レベルと利用権限との関係については図２３を用いて後述する。
【０２１３】
利用サービス処理部１３０は、利用権限があると判定した場合にはステップＳ３２７の処理を実行し、利用権限がないと判定した場合にはステップＳ３２８の処理を実行する。
［ステップＳ３２７］利用サービス処理部１３０は、二次転送先番号を転送先番号リストの最後尾に登録する。
【０２１４】
［ステップＳ３２８］利用サービス処理部１３０は、処理対象の情報に登録された転送先番号についてステップＳ３２２〜Ｓ３２７の処理を行ったかを判定する。利用サービス処理部１３０は、未処理の転送先番号がある場合には、ステップＳ３２２に戻って、次の転送先番号を選択して処理を続ける。そして、すべての転送先番号についての処理が終了すると、図２２のサブルーチンが終了する。
【０２１５】
以上の図２２の処理によれば、処理対象の情報に登録された転送先番号のうち、利用権限が与えられた転送先番号のみが転送先番号リストに登録される。これにより、発信者が利用可能な転送先番号が、利用権限が与えられた転送先番号のみに限定される。
【０２１６】
また、一次転送先番号に対してさらに二次転送先番号が設定されていた場合には、転送先番号リストに二次転送先番号が登録される。これにより、電話をかける相手と通話できる可能性が高くなる。
【０２１７】
図２３は、公開レベルと利用権限（１）との関係の例を示す図である。利用権限（１）とは、一次転送先番号の利用権限であり、図２３は、図２２のステップＳ３２５での判定パターンを示すものである。
【０２１８】
また、図２３（および次の図２４）において、公開レベル（１）とは、図９に示した公開レベル（１−１），（１−２），（１−３）を指し、公開レベル（２）とは、図９に示した公開レベル（２−１），（２−２）を指す。また、図２３（および次の図２４）において、「発呼権限」とはその番号への発呼が許可されていることを示し、「公開権限」とはその番号を発信者に公開する（読み上げる）ことが許可されていることを示し、「利用不可」とは、発呼も公開も許可されていない（利用権限が与えられていない）ことを示す。
【０２１９】
図２３において、公開権限および発呼権限は、公開レベル（１）より公開レベル（２）の設定値が優先されて設定される。例えば、公開レベル（２）が「公開」である場合、公開レベル（１）の設定値に関係なく公開権限が与えられ、公開レベル（２）が「発呼のみ」である場合、公開レベル（１）の設定値に関係なく発呼権限が与えられる。また、公開レベル（２）が「非公開」の場合、公開レベル（１）の設定値に関係なく利用権限が与えられない。
【０２２０】
一方、公開レベル（２）に何も設定されていない場合には、公開レベル（１）に基づいて利用権限が与えられる。公開レベル（１），（２）のいずれも設定されていない場合には、利用権限は与えられない。
【０２２１】
このような利用権限の判定方法がとられることで、バックアップデータ１１０を利用しようとする発信者の状態に応じて、利用権限をきめ細かく設定できるようになる。
例えば、他者によって所有者情報１１１の転送先番号が利用される場合（図２０のステップＳ２８４，図２１のステップＳ３０３の各ケース）には、その発呼元の電話機の電話番号が対応する電話帳情報１１２に登録されているか否かによって、利用権限の判定方法を変えることができる。すなわち、発呼元の電話機の電話番号が電話帳情報１１２に登録されている場合には、公開レベル（２）に基づいて利用権限が判定され、登録されていない場合には公開レベル（１）に基づいて利用権限が判定される。
【０２２２】
一方、他者によって電話帳情報１１２の電話番号が利用される場合（図１９のステップＳ２６１のケース）には、その発呼元の電話機の電話番号が、他のバックアップデータ１１０内の電話帳エントリ１１３の電話番号の欄に登録されているか否かによって、利用権限の判定方法を変えることができる。すなわち、発呼元の電話機の電話番号が他のバックアップデータ１１０の電話帳エントリ１１３に登録されている場合には、公開レベル（２）に基づいて利用権限が判定され、登録されていない場合には公開レベル（１）に基づいて利用権限が判定される。
【０２２３】
なお、各ケースにおいて参照される公開レベルは、次の通りである。
図１９のステップＳ２６１での一次転送先番号の利用権限の判定処理では、登録済み番号への発呼および読み上げのいずれの場合でも、該当電話帳エントリ１１３の公開レベル（２−２）と、対応する所有者情報１１１の公開レベル（１−１），（２−１）とが参照される。ここで、公開レベル（２−２）が登録されている場合には、公開レベル（２−１）より公開レベル（２−２）が優先的に参照される。これにより、転送先番号ごとに利用権限の付与の仕方を変えることができる。
【０２２４】
図２０のステップＳ２８４および図２１のステップＳ３０３での一次転送先番号の利用権限の判定処理（具体的には、図では、該当所有者情報１１１の公開レベル（１−１），（１−２），（２−１）が参照される。ここで、公開レベル（１−２）が登録されている場合には、公開レベル（１−１）より公開レベル（１−２）が優先的に参照される。これにより、転送先番号ごとに利用権限の付与の仕方を変えることができる。
【０２２５】
図２４は、公開レベルと利用権限（２）との関係の例を示す図である。利用権限（２）とは、二次転送先番号の利用権限であり、図２４は、図２２のステップＳ３２６での判定パターンを示すものである。
【０２２６】
二次転送先番号の利用権限は、対応する一次転送先番号についての前述の利用権限（１）の判定結果と、二次転送先番号が転送先番号として登録された他の所有者情報１１１において自番号公開用暗証番号が設定されているか否かとに基づいて判定される。二次転送先番号が転送先番号として登録された他の所有者情報１１１において自番号公開用暗証番号が設定されている場合、この二次転送先番号の利用が制限されていることになる。そこで、この場合には、利用権限（１）の判定結果に関係なく、二次転送先番号の利用権限が与えられない。このような処理により、キー電話番号に対応付けられた転送先番号が、そのキー電話番号の所有者の意図に反して他者に利用される事態を回避することができる。
【符号の説明】
【０２２７】
１０  発呼制御装置
１１  記憶部
１１ａ  電話帳情報
１２  制御部
２０  電話回線
２１  交換機
３１，３２  電話機
【図１】
2014183548.tif 000003
【図２】
2014183548.tif 000004
【図３】
2014183548.tif 000005
【図４】
2014183548.tif 000006
【図５】
2014183548.tif 000007
【図６】
2014183548.tif 000008
【図７】
2014183548.tif 000009
【図８】
2014183548.tif 000010
【図９】
2014183548.tif 000011
【図１０】
2014183548.tif 000012
【図１１】
2014183548.tif 000013
【図１２】
2014183548.tif 000014
【図１３】
2014183548.tif 000015
【図１４】
2014183548.tif 000016
【図１５】
2014183548.tif 000017
【図１６】
2014183548.tif 000018
【図１７】
2014183548.tif 000019
【図１８】
2014183548.tif 000020
【図１９】
2014183548.tif 000021
【図２０】
2014183548.tif 000022
【図２１】
2014183548.tif 000023
【図２２】
2014183548.tif 000024
【図２３】
2014183548.tif 000025
【図２４】
2014183548.tif 000026